(57)【要約】本発明は陥凹部を備えた下型、及び陥凹部に対応する加工用スタンプを備えた上型によってＣＤのような記憶媒体用のパッケージを製造する方法に関する。本発明は以下の方法の段階、すなわち下型と上型の間に深絞り加工可能な材料からなるカードを挿入する段階と、カードと下型の間、及び／又はカードと上型の間に弾性体を挿入する段階である。
2004516201.tif 000002
【特許請求の範囲】
【請求項１】
陥凹部を設けた下型、及び陥凹部に対応する加工用スタンプを備えた上型によってＣＤのような記憶媒体用のパッケージを製造する方法であって、
前記下型と前記上型の間に深絞り加工可能な材料からなるカードを挿入する段階と、
前記カードと前記下型の間、及び／又は前記カードと前記上型の間に弾性体を挿入する段階と、を備える方法。
【請求項２】
ＣＤのような記憶媒体用のパッケージを製造する装置であって、
陥凹部を設けた下型、及び陥凹部に対応する加工用スタンプを具備する上型を備え、
前記下型と前記上型の間に弾性緩衝体を備えた装置。
【請求項３】
前記上型の加工用スタンプの長さは前記陥凹部の深さよりも長いことを特徴とする、請求項２に記載の装置。
【請求項４】
前記緩衝体は海綿状ゴム製のリングであることを特徴とする、請求項２または請求項３に記載の装置。
【請求項５】
前記下型の陥凹部及び／又は前記加工用スタンプは、軸に垂直な断面が円錐台形であることを特徴とする、請求項２から請求項４までのいずれか１項に記載の装置。
【請求項６】
前記加工用スタンプは端面に前記加工用スタンプと同心な関係にあるリブを備え、前記リブの直径は収納される記録媒体のスタック用リングの直径に対応することを特徴とする、請求項１から請求項５までのいずれか１項に記載の装置。
【請求項７】
請求項１に記載の方法によって、あるいは請求項２から請求項６までのいずれか１項に記載の装置によって製造された、ＣＤのような記録媒体を収納するためのパッケージ。
【発明の詳細な説明】
【０００１】
【発明の属する技術分野】
本発明は、ミニＣＤ、ＣＤ、シュープリーム・カード、カットＣＤ、ＤＶＤ、メモリ・チップ、及びその他の大容量記憶媒体（以下では記憶媒体と呼ぶ）用のパッケージに関する。
【０００２】
【従来の技術】
このようなパッケージは公知である。その場合、例えば紙や厚紙のような繊維を含む材料製のカードをベースに使用する。このようなカードに、収納される記憶媒体に対応する形状の膨らみをつけることが公知である。下記の文献を参照する。
【０００３】
（１）ＧＢ２３ ４９ ３５９ Ａ
この文献は媒体を収納するためのエンボスを設けたカードを示している。データ・メモリ（ＣＤ）の固定は円形の接着ゾーン８によって行われる。接着フォイルの代わりに扇形のフラップ１３が設けられている。
【０００４】
（２）ＷＯ ００ ６６ ３６８ Ａ１
ここに記載されているパッケージは単に暗示的に不確定の深さのエンボスを備えているにすぎない。これには記憶媒体の落下防止も欠落している。
【０００５】
（３）ＦＲ ２７ ７２ ３５０ Ａ１
この文献は、詳細には定義されていない方法で記憶媒体を担持するカードを示している。
【０００６】
（４）ＷＯ ００ ５６ ５５５ Ａ１
この場合も文献（３）と同様のことが当てはまる。
【０００７】
（５）ＤＥ ２９７ １１ ５７７ Ｕ１
ここに記載されているパッケージは記憶媒体を収納するため役割を果たすが、記憶媒体をカードに固定させることに関して何も言及されていない。
【０００８】
（６）ＤＥ ２９６ １９ ４０９ Ｕ１
これには文献（５）に記載されていることと同じことが当てはまる。
【０００９】
（７）ＤＥ ２９６ １２ ９２０ Ｕ１
この場合は文献（５）に記載のパッケージと同じことが当てはまる。
【００１０】
（８）ＤＥ １９６ ４６ ３９７ Ａ１
このパッケージに関しては文献（５）に記載のパッケージと同じことが当てはまる。
【００１１】
（９）ＵＳ ５７ ７５ ４９２ Ａ１
ＣＤまたはその類似物を収納するための陥凹部はエンボスによってではなく、シートからのパンチによって製造される（「内側シート８」）
【００１２】
公知のパッケージには構造や製造方法に応じて欠点がある。それは例えば高い製造コスト、耐久性のなさ、または見かけの欠陥である。
【００１３】
【発明が解決しようとする課題】
本発明の課題は、上記の欠点がない上記のカードを製造する方法及び装置、したがってそのようなカード自体をも提供することにある。
【００１４】
【課題を解決するための手段】
このような課題は独立請求項の特徴によって達成される。
【００１５】
本発明によるカードは下記の利点を備えている。
【００１６】
これは環境を汚染しない材料から製造することができ、しかも材料が節減され、低コストである。本発明によるパッケージは、材料を簡単に再利用できるので環境に優しい。製造のエネルギーが節減される。記憶媒体は外部の影響による損傷から確実に保護される。パッケージは機械により製造できるので低コストである。これは勿論広告媒体として利用できる。
【００１７】
この新規の方法によって、例えば通常のポストカードとして使用できる様々な厚紙材料を破れや皺を誘発することなく、従来の２倍以上の深さにエンボス加工することができる。それによってエンボス加工された厚紙の新たな用途が可能になる。それには材料が極めて節減され、それによって環境を保護する平坦な媒体をパッケージすることができるパッケージ分野が含まれ、媒体を厚紙の上側で密閉することができ、簡単で平板な固定によって上面／開口部に封鎖／固定することができる。
【００１８】
環境のための材料節減は、特に配送及び物通の際のコスト低減につながるパッケージ重量の軽量化になる。厚紙の上面により平板に密封できることによって、例えばミニＣＤのような平坦な媒体を厚紙パッケージによってドイチェ・ポストＡＧにより認可されたポストカードとして発送することができ、しかも発送物の自動的な宛名読み取り及び仕分けに適している。透明フォイルによって固定すれば、媒体を上面から完全にまた直接見ることができ、さらにはそれによってこのパッケージを、例えばミニＣＤのようなこのような媒体のための現在市販されている発送用パッケージに対して際立たせることができる。従来から公知の方法ではより深いエンボス加工を行うことは不可能であった。エンボス加工の深さの特定の限度を超えた場合は、材料に集中した皺が形成され、または材料が破れることがあった。というのは、型のプレス圧によって材料が充分に固定する前に、上型は材料を溝内に引き込むからである。本発明ではこれは行われない。
【００１９】
上型の加工用スタンプの長さはエンボス加工による溝の深さよりも長いことが目的に適っている。この追加の寸法は例えば海綿状ゴムリングの緩衝体の厚みから生ずる。この海綿状ゴムリングの厚み自体はゴムの圧縮性によるものである。最大圧縮時の海綿状ゴムリングの厚みに下型の深さを加えたものが上型の加工用スタンプの長さになる。その際に、海綿状ゴムは圧縮されない場合はほぼ上型のスタンプの長さを有するものとする。一実施形態では、海綿状ゴム層の厚みは４ｍｍであった。上型の加工用スタンプの長さも４ｍｍであった。それによって極めて良好な結果が得られた。このサイズは機械による処理のために有利であることが実証された。それによって、挿入時の引っ掛かりが避けられる。
【００２０】
海綿状ゴムの厚みの他に、ゴムリングの内径及び外径、ならびに配置も重要である。
【００２１】
圧縮時のゴムの直径の縮みによって、上型のフランクと下型の凹みとの間にゴムが嵌まり込まないような内径と上型との距離が確保されなければならない。ゴムが嵌まり込んだ場合、エンボス加工された物体は破れてしまう。したがって、一方では上型との距離が必要であり、他方では上型は（下型の形状に対応した）円錐形であってはならない。何故ならば、そうしないと拡張したゴムが上型に押しつけられる可能性があるからである。外径は、リングが少なくとも約９ｍｍの同心幅になるように選択する必要があろう。（例えば５ｍｍのような）より狭い幅の場合は、載置面はエンボス加工される物体を充分に固定させるには不充分である。それによって引き皺が生ずるからである。
【００２２】
ゴムの配置に際しては、平坦な載置面が上型の圧縮領域にあり、平坦な下型面がゴムの全載置領域に、少なくともゴムの載置面の全有効領域内にあるように注意する必要がある。そのために、エンボス位置と海綿状ゴムの始端との間にあるエンボス加工される物体が膨脹できないように、ゴムをできるだけエンボス加工用スタンプの近傍に配置する必要がある。このような膨脹によって特にエンボスが波形になったり再変形する可能性がある。
【００２３】
さらに緩衝層を有する押さえ装置も考慮される。この場合は緩衝層のサイズの決定には、有効面の領域でエンボス加工物体に押し跡、またはその他の跡が残らないことだけを注意すればよい。配置は海綿状ゴムと同様に選択することができる。その際、エンボス加工用スタンプはプレートと一体化する必要はなく、押さえ装置とは無関係に動けばよいのでエンボス加工用スタンプの長さは重要ではない。この方法では、上型と下型の位置を逆転できる。すなわち、下型が下にあり、上型のスタンプは上方からプレスされる。
【００２４】
下型の加熱、及び力と熱の作用に対する寿命の延長によってエンボスの再変形はかなり軽減される。
【００２５】
【発明の実施の形態】
本発明を図面を参照してより詳細に説明する。
【００２６】
図１から図３にはカード１が示されている。これはポストカードの大きさでもよく、またはそれより大きくても小さくてもよい。カードはこの例の場合は厚紙製である。これは１００ｇ／ｍ２の面積比重量の紙質の厚紙でよい。例えば１５０、２００、２５０ｇ／ｍ２のように５００ｇ／ｍ２までの面積比重量のものも可能である。例えばパルプ、または合成材料からなる不織繊維のような他の材料も考えられる。
【００２７】
カード１は深絞り加工されたエンボス２を備えている。エンボスは平面図で見て円形であり、同じ深さである。これは記憶媒体３を収納する役割を果たす。この場合、それはＣＤである。
【００２８】
図２に示されているように、カード１の裏面には上記のエンボス２に対応する隆起が生ずる。カード１のモチーフ面は図１及び図３に示された面である。この面にはラベルを貼付することができる。
【００２９】
記憶媒体３がエンボス２に入れられると、記憶媒体はフォイル４でカバーすることができる。フォイル４は接着性フォイルである。これは容易に剥がすことができる。その際は、接着によるカードへの付着がなされるために、フォイルは周囲領域だけに接着層を備えていればよい。したがって図３のフォイル４の下にある面の大部分には接着層がない。
【００３０】
エンボス２は記憶媒体３の形状を有している必要はなく、造形手段として任意に据えつけることができる（例えば星形のエンボス内の丸いＣＤ）。カード１には記憶媒体３を含めて任意のモチーフをプリントできる。
【００３１】
図４に示されている実施形態は図３に示したものと２つの点で異なっている。
すなわち、フォイル４はより簡単に剥がせるようにストラップ４．１を備える。フォイル４は全面が接着性であってよい。これは図３に示されたフォイルにも当てはまる。その他の特徴は以下にある。
上型に対応する加工用スタンプの形状によって（以下をさらに参照）、溝がカード１上で目立たないように、カード１はリング状に圧縮される（溝１．１を参照）。溝の深さは０．１から０．２ｍｍである。その直径は通常ＣＤに備えられているスタック用リングの直径に対応する。そのサイズは製品によって異なる。
【００３２】
図５による実施形態は１つの特徴についてだけ図３の実施形態と異なっている。すなわち、この場合はエンボス２の床部に粘着性クッション５が貼り付けられている。この例ではこれは円形である。それとは異なる形状を有することもできよう。これは例えば、ＰＰ発泡樹脂のような発泡樹脂製である。これはエンボス２と共にカード１を製造した後に貼着される。ＣＤは粘着性クッション５の上に取り付けられ、そこに摩擦接触によって保持される。すなわち両方の面に粘着層を備えているので、ＣＤをエンボス２に保持するために、接着性クッションを片側はエンボス２の床部に、また他の側はＣＤに固定可能である。
【００３３】
図６及び図７はエンボス加工用工具の構造を示している。図６には上型１０及び下型１１が示されている。上型１０は加工用スタンプ１０．１を備えている。下型１１は型の空洞としての役割を果たす陥凹部を備えている。陥凹部は床１１．１と、環状の境界面１１．２とを備えている。環状の境界面は工具の縦軸１１．３に対して傾斜している。縦軸１１．３は同時に、エンボス加工を実施するために双方の工具１０、１１が互いに相対移動する軸でもある。上型１０の加工用スタンプ１０．１は傾斜していない。図７から分かるように、これは円形である。その外径は下型の陥凹部の床面１１．１の直径に対応している。点線１１．４を参照されたい。
【００３４】
さらに図６及び図７に示されているように、上型１０は海綿状ゴムからなるリング１２を備えている。加工用スタンプ１０．１の外径と海綿状ゴムリング１２の間には空隙がある。そのため海綿状ゴムリング１２は加工用スタンプ１０．１の外側の円筒形の周囲面には接触しない。
【００３５】
海綿状ゴムリング１２の厚みは軸１１．３の方向に測定された加工用スタンプ１０．１の長さすなわち厚さにほぼ等しい。
【００３６】
加工用スタンプ１０．１はこの例では円筒形である。自由端の縁部に軽く丸みをつけることができる。しかし加工用スタンプ１０．１は下型１１の陥凹部の形状に類似するように、円錐台形でもよい。
【００３７】
カード１はエンボス加工の前から両側にプリントすることができる。エンボス加工によってモチーフは損なわれない。それが本発明の利点である。
【００３８】
図８から図１１にも上型１０及び下型１１を含むエンボス加工工具が示されている。これには実寸で記載されている。
【００３９】
この場合、特に興味深いのは図１０及び図１１である。これらの図には円形のリブ１０．１．１が示されている。これは加工用スタンプ１０．１の端面に形成されている。リブは別個のリングとして加工用スタンプ１０．１の端面に取り付け、これと固定的に連結してもよいであろう。
【図面の簡単な説明】
【図１】本発明によるパッケージの構成要素としてエンボスを有する本発明のカードを示す図である。
【図２】図１に示した物体の断面図である。
【図３】第１の実施形態によるカード、収納される記憶媒体、及びカバー・フォイルの分解図である。
【図４】第２実施形態の、図３と同様の図面である。
【図５】第６実施形態の、図３と同様の図面である。
【図６】下型及び上型を有するエンボス加工工具の断面図である。
【図７】図４に記載した上型の平面図である。
【図８】下型の平面図である。
【図９】図８に示した下型の断面図である。
【図１０】付属する上型の平面図である。
【図１１】図１０に示した上型の断面図である。
【符号の説明】
１  カード
１．１  溝
２  エンボス
３  記憶媒体
４  フォイル
４．１  ストラップ
５  粘着性クッション
１０  上型
１０．１  加工用スタンプ
１０．１．１  円形のリブ
１１  下型
１１．１  床
１１．２  環状の境界面
１１．３  縦軸
１２  界面状ゴムリング
【国際公開パンフレット】
2004516201.tif 000003
2004516201.tif 000004
2004516201.tif 000005
2004516201.tif 000006
2004516201.tif 000007
2004516201.tif 000008
2004516201.tif 000009
2004516201.tif 000010
2004516201.tif 000011
2004516201.tif 000012
2004516201.tif 000013
2004516201.tif 000014
2004516201.tif 000015
2004516201.tif 000016
2004516201.tif 000017
2004516201.tif 000018
【国際公開パンフレット（コレクトバージョン）】
2004516201.tif 000019
2004516201.tif 000020
【手続補正書】
【提出日】平成14年11月23日(2002.11.23)
【手続補正１】
【補正対象書類名】明細書
【補正対象項目名】特許請求の範囲
【補正方法】変更
【補正の内容】
【特許請求の範囲】
【請求項１】
陥凹部を設けた下型、および陥凹部に対応する加工用スタンプを備えた上型によってＣＤのような記憶媒体用のパッケージを製造する方法であって、
前記下型と前記上型の間に深絞り加工可能な材料からなるカードを挿入する段階と、
前記カードと前記下型の間、及び／又は前記カードと前記上型の間に弾性リング体を挿入する段階と、
前記加工用スタンプの外径と前記環状体の内径との間に空隙を設ける段階と、を備える方法。
【請求項２】
ＣＤのような記憶媒体用のパッケージを製造する装置であって、
陥凹部を設けた下型、及び陥凹部に対応する加工用スタンプを具備する上型を備え、
前記下型と前記上型の間に弾性リング体があり、
前記加工用スタンプの外径と前記環状体の内径との間に空隙がある装置。
【請求項３】
前記上型の加工用スタンプの長さは前記陥凹部の深さよりも長いことを特徴とする、請求項２に記載の装置。
【請求項４】
前記緩衝体は海綿状ゴム製のリングであることを特徴とする、請求項２または請求項３に記載の装置。
【請求項５】
前記下型の陥凹部及び／又は前記加工用スタンプは、軸に垂直な断面が円錐台形であることを特徴とする、請求項２から請求項４までのいずれか１項に記載の装置。
【請求項６】
前記加工用スタンプは端面に前記加工用スタンプと同心な関係にあるリブを備え、前記リブの直径は収納される記録媒体のスタック用リングの直径に対応することを特徴とする、請求項１から請求項５までのいずれか１項に記載の装置。
【手続補正２】
【補正対象書類名】明細書
【補正対象項目名】００１１
【補正方法】変更
【補正の内容】
【００１１】
（９）ＵＳ ５７ ７５ ４９２ Ａ１
ＣＤまたはその類似物を収納するための陥凹部はエンボスによってではなく、シートからのパンチによって製造される（「内側シート８」）。
（１０）ＵＳ−Ａ−３ ７９９ ０４０
紙又は厚紙製のＣＤパッケージをエンボス加工する方法を記載している。この場合は、より良好なエンボス加工を達成するために弾性体が使用される。
【国際調査報告】
2004516201.tif 000021
2004516201.tif 000022
2004516201.tif 000023
2004516201.tif 000024
2004516201.tif 000025
2004516201.tif 000026